【事件の表示】
　特許第３３３１９６１号「パチンコ機」の請求項１に係る特許に対する特許異議の申立てについて、次のとおり決定する。
【結　論】
　訂正を認める。
　特許第３３３１９６１号の請求項１に係る特許を維持する。
【理　由】
１・手続の経緯
　特許第３３３１９６１号の請求項１に係る発明（以下、本件発明という）についての特許出願（以下、本件出願という）は、平成２年８月１６日に出願された特許出願（特願平２−２１６５３６号、以下、原出願という）の一部が特許法第４４条第１項の規定により、平成１０年１月１３日に新たな特許出願（特願平１０−１７７７４号、以下、第１分割出願という）とされ、この新たな特許出願の一部が特許法第４４条第１項の規定により、平成１０年２月１２日に新たな特許出願（特願平１０−４８８５８号、以下、第２分割出願という）とされ、この新たな特許出願の一部が特許法第４４条第１項の規定により、平成１０年３月１３日に新たな特許出願（特願平１０−８２７４１号、以下、第３分割出願という）とされ、この新たな特許出願の一部が特許法第４４条第１項の規定により、平成１０年４月１３日に新たな特許出願とされたものであって、平成１４年７月２６日にその特許権の設定登録がなされ、その後、河井清悦及び中西正幸よりそれぞれ特許異議の申立てがなされ、取消しの理由が通知され、その指定期間内である平成１６年２月１０日に訂正請求（後日取下げ）がなされ、再度の取消しの理由が通知され、その指定期間内である平成１６年５月２１日に訂正請求がなされたものである。
２・訂正の適否についての判断
（２−１）訂正の内容
ア・訂正事項ａ
　【特許請求の範囲】の【請求項１】を、
「所定条件が成立したときに遊技者に不利な第１状態と遊技者に有利な第２状態とに変換可能な大入賞口と、複数の小入賞口とを備え、当該各小入賞口のうち所定の小入賞口については打球が入賞すると前記大入賞口が第２状態へ２回変換され、その他の小入賞口については打球が入賞すると前記大入賞口が第２状態へ１回変換される始動入賞口として構成したパチンコ機において、
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、当該小入賞口には前記特別スイッチを臨ませた特別入賞領域を非具備とし、
　前記各小入賞口のうち前記大入賞口が第２状態へ２回変換される始動入賞口として構成された小入賞口についてのみ、所定条件が成立したときに遊技者に不利な第１状態と遊技者に有利な第２状態とに変換可能な構成として、落下する打球が所定位置で検出器によって検出されたことに基づいて変動表示する変動表示手段に予め定めた図柄が停止表示された場合に第２状態となるように構成し、更に、当該小入賞口はタイマによって一定時間だけ第２状態となった後に第１状態に戻されることを特徴とするパチンコ機。」
と訂正する。
イ・訂正事項ｂ
　特許明細書の段落【０００４】の【課題を解決するための手段】を、
「上記した目的を達成するために、本発明においては、
　所定条件が成立したときに遊技者に不利な第１状態と遊技者に有利な第２状態とに変換可能な大入賞口と、複数の小入賞口とを備え、当該各小入賞口のうち所定の小入賞口については打球が入賞すると前記大入賞口が第２状態へ２回変換され、その他の小入賞口については打球が入賞すると前記大入賞口が第２状態へ１回変換される始動入賞口として構成したパチンコ機において、
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、当該小入賞口には前記特別スイッチを臨ませた特別入賞領域を非具備とし、
　前記各小入賞口のうち前記大入賞口が第２状態へ２回変換される始動入賞口として構成された小入賞口についてのみ、所定条件が成立したときに遊技者に不利な第１状態と遊技者に有利な第２状態とに変換可能な構成として、落下する打球が所定位置で検出器（実施例中、玉検出器１７ａ，１７ｂが対応する。）によって検出されたことに基づいて変動表示する変動表示手段（実施例中、変動表示器２６に対応する）に予め定めた図柄が停止表示された場合に第２状態となるように構成し、更に、当該小入賞口はタイマによって一定時間だけ第２状態となった後に第１状態に戻されることを特徴とするものである。」
と訂正する。
ウ・訂正事項ｃ
　特許明細書の段落【００３７】の【発明の効果】を、
「以上、説明したところから明らかなように、本発明においては、可変入賞装置として大入賞口と小入賞口とを上下に並設することによって、入賞態様に変化を与えることができる。また、小入賞口といえども、大入賞口を第２状態に２回変換させる小入賞口については、第１状態と第２状態とに変換可能であるため、大入賞口への入賞機会の多い小入賞口に対する入賞の期待感を損なうことはなく、一方、小入賞口は一定時間を越えて第２状態を維持することがないので、出玉が多くなり過ぎたり、小入賞口が第２状態を維持し続けることによる遊技の中断・中止が円滑に行われない等の不都合も回避し得る。さらに、小入賞口が第２状態となる条件として、打球が検出器にて検出されて変動表示手段が変動表示されその結果が予め定めた図柄である場合としていることから、大入賞口に集中しがちな遊技者に対して小入賞口に注目させることができる。」
と訂正する。
（２−２）訂正の目的、新規事項の有無及び拡張・変更の存否
　上記訂正事項ａは、小入賞口が複数存在すること、各小入賞口について所定の入賞口が大入賞口を第２状態へ２回変換させるものであるのに対し他の小入賞口が１回変換させるものであること、及び、小入賞口のうち２回変換に関わる小入賞口についてのみ第１状態と第２状態とに変換可能であること，を限定するものであり、かつ、これらのことは、特許明細書の段落【０００７】に「始動入賞口９ａ〜９ｃが設けられている」と、段落【０００８】に「中央の始動入賞口９ａに打球が入賞すると後述する可変入賞装置２０の開閉翼片２３ａ，２３ｂが・・・２回開閉動作をし、左右の始動入賞口９ｂ，９ｃに打球が入賞すると開閉翼片２３ａ，２３ｂが１回開閉動作する」と、及び、段落【０００７】に「始動入賞口９ａ〜９ｃのうち中央の始動入賞口９ａは、電気的駆動源であるチューリップソレノイド１６によって開閉制御される小入賞口たる電動始動入賞口となっており」と、それぞれ記載されており、したがって、これらは、願書に添付した明細書又は図面に記載した事項の範囲内のものであるから、特許請求の範囲の減縮を目的とした明細書の訂正に該当し、また、「当該小入賞口には前記特別スイッチを望ませた」における「望ませた」を「臨ませた」と訂正することは、当該記載より前の請求項１に「特別スイッチを臨ませた特別入賞領域」という記載があって、「望ませた」は、「臨ませた」の明らかな誤記であるから、誤記の訂正を目的とした明細書の訂正に該当し、
訂正事項ｂは、上記訂正事項ａと整合を図るとともに、「変動表記器２６」を「変動表示器２６」と訂正するものであり、この訂正は、特許明細書の段落【００１６】に「回数表示器２６は・・・変動表示器としての機能を有している」と記載されていることから、明らかな誤記に該当し、したがって、明りょうでない記載の釈明及び誤記の訂正を目的とした明細書の訂正に該当し、
訂正事項ｃは、上記訂正事項ａと整合を図るもの、すなわち、小入賞口として大入賞口を第２状態に１回変換させるものと２回変換させるものとが存在し、２回変換させる小入賞口についてのみ第１状態と第２状態とに変換可能としたことが特許請求の範囲において特定されたことに基づいて、対応関係を図る訂正に過ぎないから、明りょうでない記載の釈明を目的とした明細書の訂正に該当し、
いずれも、新規事項の追加に該当せず、実質的に特許請求の範囲を拡張し、変更するものではない。
（２−３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３・特許異議の申立ての理由及び取消理由についての判断
（３−１）特許異議の申立ての理由の概要
（３−１−１）申立人・河井清悦は、
（３−１−１−１）甲第１号証（特開平２−１１４９７９号公報）、甲第２号証（特開平２−４１１８６号公報）、甲第３号証（特開昭６３−２３４９８８号公報）及び甲第４号証（特開平２−９８３７９号公報）を引用し、
本件発明は、当業者が甲第１号証に記載された発明に周知技術である甲第２〜４号証を適用することにより、容易に発明をすることができたものであるから、特許法第２９条第２項の規定により特許を受けることができないものであるとし、
（３−１−１−２）本件発明における「大入賞口の下方には大入賞口より狭い小入賞口を並設し、当該小入賞口には前記特別スイッチを望ませた特別入賞領域を非具備」とした構成における「望ませ」の意味が技術的に明りょうでなく、本件発明に係る請求項１の記載は、特許を受けようとする発明の構成に欠くことができない事項のみを記載したものではないから、本件出願は特許法第３６条第４項第２号に規定する要件を満たしていないとし、
（３−１−２）申立人・中西正幸は、
（３−１−２−１）本件発明は、「当該小入賞口には前記特別スイッチを望ませた特別入賞領域を非具備と」することを構成要件としているところ、この構成要件は、原出願の明細書、第１分割出願の明細書、第２分割出願の明細書、第３分割出願の明細書及び本件出願の当初明細書の何れにも記載されておらず、平成１３年４月２日付け手続補正によって加わったものであり、したがって、この補正は明細書の要旨を変更するものであるから、本件特許の出願日は当該補正をした平成１３年４月２日であるとし、また、当該補正が要旨変更でないとしても、出願の分割の要件を満たしていないから出願日は遡及せず、本件出願の出願日は、平成１０年４月１３日であるとし、
甲第１号証（特開平４−９７７６７号公報　平成４年３月３０日公開）及び甲第２号証（白夜ムック６１　パチンコ必勝大図鑑（増補改訂）２０００年度版　２０００年２月２７日（株）白夜書房発行）を引用し、
本件発明は、当業者が甲第１及び２号証に記載された各発明に基いて容易に発明をすることことができたものであるから、特許法第２９条第２項の規定により特許を受けることができないものであるとし、
（３−１−２−２）甲第３号証（特願平２−２０７６１３号（特開平４−９２６８７号））を引用し、
本件出願の出願日が平成２年８月７日まで遡及するとしても、本件発明は、甲第３号証に係る先願の当初明細書又は図面に記載された発明と同一であるから、特許法第２９条の２の規定により特許を受けることができないものであるとし、
（３−１−２−３）本件発明は、いわゆる第１種遊技機を含むものであるところ、本件特許明細書には、いわゆる第２種遊技機についての実施例しか記載されていないので、第１種遊技機については発明の詳細な説明に記載されたものではなく、また、本件特許明細書の発明の詳細な説明には、第１種遊技機について当業者が容易に実施することができる程度に記載されておらず、したがって、本件出願は特許法第３６条第５項第１号及び第４項に規定する要件を満たしていないとし、
本件発明についての特許は、取り消されるべきものであると主張している。
（３−２）取消理由の概要
　本件発明は、本件出願の日前の他の特許出願（特願平２−２０９１３８号）であって当該特許出願後に出願公開されたもの（特開平４−９２６８８号）の願書に最初に添付した明細書又は図面に記載された発明と同一であるから、特許法第２９条の２の規定により特許を受けることができず、
本件発明についての特許は、取り消されるべきものである。
（３−３）本件発明
　上記（２−３）の所に記したように、上記訂正が認められるので、本件発明は、上記訂正請求に係る訂正明細書の特許請求の範囲の請求項１に記載された事項により特定されるとおりのものである。（上記２・（２−１）ア・訂正事項ａ参照）
（３−４）特許法第３６条に規定する要件について
（３−４−１）申立人・河井清悦の（３−１−１−２）の主張について
　上記（２−１）の訂正事項ａによって、「望ませ」は「臨ませ」と訂正されたから、上記主張は採用できない。
（３−４−２）申立人・中西正幸の（３−１−２−３）の主張について
　上記（２−１）の訂正事項ａ〜ｃによって、本件発明は、いわゆる第２種遊技機についてのものとなったから、上記主張は採用できない。
（３−４−３）したがって、本件出願は、特許法第３６条に規定する要件を満たしているものと認められる。
（３−５）特許法第２９条第２項の規定について
（３−５−１）申立人・中西正幸の（３−１−２−１）の主張について
　申立人・中西正幸は、本件出願の出願日は、平成１３年４月２日又は平成１０年４月１３日であると主張している。確かに、「当該小入賞口には前記特別スイッチを望ませた特別入賞領域を非具備と」するという記載は、原出願の明細書、第１分割出願の明細書、第２分割出願の明細書、第３分割出願の明細書及び本件出願の当初明細書の何れにもないものと認められる。しかし、上記各明細書を仔細に検討しても、上記各明細書には、「当該小入賞口」が「前記特別スイッチを望ませた特別入賞領域を」「具備」していると認めるに足る記載もないから、上記記載が何のためにあるのかという若干の疑問は残るとしても、上記記載が有っても無くても実質的に変わりがないというべきであり、したがって、本件出願の出願日は、平成２年８月１６日である。
　そうすると、申立人・中西正幸が引用する甲第１及び２号証は、何れも、本件出願前に日本国内において頒布された刊行物ということができないから、上記（３−１−２−１）の主張は採用できない。
（３−５−２）申立人・河井清悦の（３−１−１−１）の主張について
（３−５−２−１）甲号各証に記載された発明
　甲第１号証である特開平２−１１４９７９号公報（以下、引用例１という）には、
「始動入賞口に打球が入賞したときに閉と開とに変換可能な入賞装置２０と、複数の始動入賞口とを備え、当該各始動入賞口のうち中央の始動入賞口９ａについては打球が入賞すると前記入賞装置２０が開へ２回変換され、左右の始動入賞口９ｂ、９ｃについては打球が入賞すると前記入賞装置２０が開へ１回変換される始動入賞口として構成したパチンコ機において、
　前記入賞装置２０には、Ｖ入賞検出スイッチ３３を臨ませたＶ入賞口２４を形成し、該Ｖ入賞口２４への入賞を条件に入賞装置２０が更に開に変換される機会を付与し、入賞装置２０の下方には入賞装置２０より狭い始動入賞口を並設し、当該始動入賞口には前記Ｖ入賞検出スイッチ３３を臨ませたＶ入賞口２４を非具備とし、
　前記各始動入賞口のうち前記入賞装置２０が開へ２回変換される始動入賞口として構成された中央の始動入賞口９ａについてのみ、チューリップとしたパチンコ機」
を構成とする発明が記載されているものと認められる。
　甲第２号証である特開平２−４１１８６号公報（以下、引用例２という）には、
「所定条件が成立したときにチャッカーＨ閉とチャッカーＨ開とに変換可能なフィーバ部Ｉを備えたパチンコ機において、
　前記フィーバ部Ｉには、更にチャッカーＨ開に変換される機会を付与し、フィーバ部Ｉの下方にはフィーバ部Ｉより狭いフィーバ部Ｊを並設し、
　前記フィーバ部Ｊについて、所定条件が成立したときにチャッカーＫ閉とチャッカーＫ開とに変換可能な構成として、落下する打球がホールＡ、Ｂ、Ｃに打球が入ることに基づいて歩進する表示部Ｇに客が組合せ設定器ＣＳで設定した数値が停止表示された場合にチャッカーＫ開となるように構成し、更に、当該フィーバ部Ｊはタイマによって一定時間だけチャッカーＫ開となった後にチャッカーＫ閉に戻されるパチンコ機」
を構成とする発明が記載されているものと認められる。
　甲第３号証である特開昭６３−２３４９８８号公報（以下、引用例３という）には、
「所定条件が成立したときに閉と開とに変換可能な複数の第１の入賞口５２１、第２入賞口５３１、第３の入賞口５４１を備えたパチンコ機において、
　前記第２入賞口５３１の下方には第３の入賞口５４１、第１の入賞口５２１を並設し、
　前記各第１の入賞口５２１、第２入賞口５３１、第３の入賞口５４１のうち最下方の第１の入賞口５２１について、所定条件が成立したときに閉と開とに変換可能な構成として、落下する打球が特定入賞口１３で検出されたことに基づいて循環作動する可変表示装置３１に奇数のゾロ目が停止表示された場合に開となるように構成し、更に、当該第１の入賞口５２１はタイマによって一定時間だけ開となった後に閉に戻されるパチンコ機」
を構成とする発明が記載されているものと認められる。
　甲第４号証である特開平２−９８３７９号公報（以下、引用例４という）には、
「所定条件が成立したときに閉鎖と開放とに変換可能な複数の第１中央入球口７３，第２中央入球口７９を備えたパチンコ機において、
　前記第１中央入球口７３の下方には第２中央入球口７９を並設し、
　前記各第２中央入球口７９及び第１中央入球口７３について、所定条件が成立したときに閉鎖と開放とに変換可能な構成として、落下する打球が第１通過口８３及び第２通過口８７で表示体作動スイッチ８２及び表示体停止スイッチ８６によって検出されたことに基づいて変動表示及び変動表示停止する第１図柄表示体６６及び第２図柄表示体６９に０００，１１１，２２２，３３３，４４４，５５５，６６６，７７７，８８８，９９９及び３，７が停止表示された場合に開放となるように構成し、更に、第１中央入球口７３はタイマによって一定時間だけ開放となった後に閉鎖に戻されるパチンコ機」
を構成とする発明が記載されているものと認められる。
（３−５−２−２）本件発明と引用例１〜引用例４に記載された各発明との対比及び判断
　先ず、本件発明（前者）と引用例１に記載された発明（後者）とを対比すると、
後者の
「始動入賞口に打球が入賞した」、「閉」、「開」、「入賞装置２０」、「始動入賞口」、「中央の始動入賞口９ａ」、「左右の始動入賞口９ｂ、９ｃ」、「Ｖ入賞検出スイッチ３３」及び「Ｖ入賞口２４」
がそれぞれの機能に照らし、それぞれ
前者の
「所定条件が成立した」、「遊技者に不利な第１状態」、「遊技者に有利な第２状態」、「大入賞口」、「小入賞口」、「所定の小入賞口」、「その他の小入賞口」、「特別スイッチ」及び「特別入賞領域」
に相当するものと認められるから、
両者は、
「所定条件が成立したときに遊技者に不利な第１状態と遊技者に有利な第２状態とに変換可能な大入賞口と、複数の小入賞口とを備え、当該各小入賞口のうち所定の小入賞口については打球が入賞すると前記大入賞口が第２状態へ２回変換され、その他の小入賞口については打球が入賞すると前記大入賞口が第２状態へ１回変換される始動入賞口として構成したパチンコ機において、
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、当該小入賞口には前記特別スイッチを臨ませた特別入賞領域を非具備とし、
　前記各小入賞口のうち前記大入賞口が第２状態へ２回変換される始動入賞口として構成された小入賞口についてのみに適用される構成を備えたパチンコ機」である、
点において一致し、
各小入賞口のうち大入賞口が第２状態へ２回変換される始動入賞口として構成された小入賞口についてのみに適用される構成が、
前者は、所定条件が成立したときに遊技者に不利な第１状態と遊技者に有利な第２状態とに変換可能な構成、すなわち、落下する打球が所定位置で検出器によって検出されたことに基づいて変動表示する変動表示手段に予め定めた図柄が停止表示された場合に第２状態となり、タイマによって一定時間だけ第２状態となった後に第１状態に戻される、というものである、
のに対し、
後者は、チューリップである、
点において相違するものと認められる。
　次いで、この相違点の前者の構成が引用例２〜４に記載された各発明に存在するか否かについてみるに、
引用例２に記載された発明の
「チャッカーＨ閉」、「チャッカーＨ開」、「フィーバ部Ｉ」、「チャッカーＫ閉」、「チャッカーＫ開」、「ホールＡ、Ｂ、Ｃに打球が入る」、「歩進」、「表示部Ｇ」、「客が組合せ設定器ＣＳで設定した数値」
がそれぞれの機能に照らし、それぞれ
前者の
「遊技者に不利な第１状態」、「遊技者に有利な第２状態」、「大入賞口」、「遊技者に不利な第１状態」、「遊技者に有利な第２状態」、「所定位置で検出器によって検出された」、「変動表示」、「変動表示手段」、「予め定めた図柄」
に相当するものと認められるから、
引用例２に記載された発明には、
「所定条件が成立したときに遊技者に不利な第１状態と遊技者に有利な第２状態とに変換可能な大入賞口を備えたパチンコ機において、
　前記大入賞口には、更に第２状態に変換される機会を付与し、大入賞口の下方には大入賞口より狭いフィーバ部Ｊを並設し、
　フィーバ部Ｊについて、所定条件が成立したときに遊技者に不利な第１状態と遊技者に有利な第２状態とに変換可能な構成として、落下する打球が所定位置で検出器によって検出されたことに基づいて変動表示する変動表示手段に予め定めた図柄が停止表示された場合に第２状態となるように構成し、更に、当該フィーバ部Ｊはタイマによって一定時間だけ第２状態となった後に第１状態に戻されるパチンコ機」という構成が、
また、
引用例３に記載された発明の
「閉」、「開」、「第１の入賞口５２１、第２入賞口５３１、第３の入賞口５４１」、「第２入賞口５３１」、「第３の入賞口５４１、第１の入賞口５２１」、「第１の入賞口５２１、第２入賞口５３１、第３の入賞口５４１」、「第１の入賞口５２１」、「特定入賞口１３」、「循環作動」、「可変表示装置３１」、「奇数のゾロ目」及び「第１の入賞口５２１」
がそれぞれの機能に照らし、それぞれ
前者の
「遊技者に不利な第１状態、第１状態」、「遊技者に有利な第２状態、第２状態」、「入賞口」、「入賞口」、「入賞口」、「入賞口」、「入賞口」、「所定位置」、「変動表示」、「変動表示手段」、「予め定めた図柄」及び「入賞口」
に相当するものと認められるから、
引用例３に記載された発明には、
「所定条件が成立したときに遊技者に不利な第１状態と遊技者に有利な第２状態とに変換可能な複数の入賞口を備えたパチンコ機において、
　入賞口の下方には入賞口を並設し、
　前記各入賞口のうち最下方の入賞口について、所定条件が成立したときに遊技者に不利な第１状態と遊技者に有利な第２状態とに変換可能な構成として、落下する打球が所定位置で検出されたことに基づいて変動表示する変動表示手段に予め定めた図柄が停止表示された場合に第２状態となるように構成し、更に、当該入賞口はタイマによって一定時間だけ第２状態となった後に第１状態に戻されるパチンコ機」という構成が、
また、
引用例４に記載された発明の
「閉鎖」、「開放」、「第１中央入球口７３，第２中央入球口７９」、「第１中央入球口７３」、「第２中央入球口７９」、「第２中央入球口７９及び第１中央入球口７３」、「第１通過口８３及び第２通過口８７」、「表示体作動スイッチ８２及び表示体停止スイッチ８６」、「第１図柄表示体６６及び第２図柄表示体６９」、「０００，１１１，２２２，３３３，４４４，５５５，６６６，７７７，８８８，９９９及び３，７」及び「第１中央入球口７３」
がそれぞれの機能に照らし、それぞれ
前者の
「遊技者に不利な第１状態、第１状態」、「遊技者に有利な第２状態、第２状態」、「入賞口」、「入賞口」、「入賞口」、「入賞口」、「所定位置」、「検出器」、「変動表示手段」、「予め定めた図柄」及び「入賞口」
に相当するものと認められるから、
引用例４に記載された発明には、
「所定条件が成立したときに遊技者に不利な第１状態と遊技者に有利な第２状態とに変換可能な複数の入賞口を備えたパチンコ機において、
　入賞口の下方には入賞口を並設し、
　前記各入賞口について、所定条件が成立したときに遊技者に不利な第１状態と遊技者に有利な第２状態とに変換可能な構成として、落下する打球が所定位置で検出器によって検出されたことに基づいて変動表示及び変動表示停止する変動表示手段に予め定めた図柄が停止表示された場合に第２状態となるように構成し、更に、入賞口はタイマによって一定時間だけ第２状態となった後に第１状態に戻されるパチンコ機」という構成が、
それぞれ認められる。
　そこで検討するに、上記相違点の前者の構成の内、「所定条件が成立したときに遊技者に不利な第１状態と遊技者に有利な第２状態とに変換可能な構成、すなわち、落下する打球が所定位置で検出器によって検出されたことに基づいて変動表示する変動表示手段に予め定めた図柄が停止表示された場合に第２状態となり、タイマによって一定時間だけ第２状態となった後に第１状態に戻される」という構成自体は、引用例２〜４に記載された各発明に存在しているものと認められる。
　そこでさらに、後者に、引用例２〜４に記載された各発明に存在している構成を適用し得るか否かについてみるに、後者において、引用例２〜４に記載された各発明に存在している構成が適用されるべき「入賞口」は、「各小入賞口のうち大入賞口が第２状態へ２回変換される始動入賞口として構成された小入賞口」であり、このような「入賞口」を持つパチンコ機は、いわゆる第２種遊技機、すなわち、いわゆるハネモノと呼ばれるタイプのパチンコ機であって、引用例２〜４に記載された各発明とはそもそもタイプが異なり、しかも、後者において、引用例２〜４に記載された各発明に存在している構成が適用されるべき「入賞口」は、「始動入賞口」として機能する「入賞口」であるのに、引用例２〜４に記載された各発明に存在している構成が適用される引用例２〜４に記載された各発明の「入賞口」は、「始動入賞口」としての機能を持たないから、当業者といえども、後者に、引用例２〜４に記載された各発明に備わっている構成を直ちに適用することはできないというべきである。
　しかも、前者は、上記相違点の前者の構成によって、
特許明細書の段落【００３７】に記載された「小入賞口が第２状態となる条件として、打球が検出器にて検出されて変動表示手段が変動表示されその結果が予め定めた図柄である場合としていることから、大入賞口に集中しがちな遊技者に対して小入賞口に注目させることができる」
という効果を奏するものと認められるから、
前者は、当業者が引用例１〜４に記載された各発明に基いて容易に発明をすることができたものであるということはできない。
　したがって、特許法第２９条第２項の規定により特許を受けることができないという上記（３−１−１−１）の主張は採用できない。
（３−６）特許法第２９条の２の規定について
（３−６−１）申立人・中西正幸の上記（３−１−２−２）の主張について
（３−６−１−１）甲第３号証である特願平２−２０７６１３号（特開平４−９２６８７号）（以下、先願明細書１という）に記載された発明
　先願明細書１には、
「所定条件が成立したときに遊技者に不利な第１状態と遊技者に有利な第２状態とに変換可能な変動入賞装置１２と、可変入賞口１３とを備えたパチンコ機において、
　前記変動入賞装置１２には、継続スイッチ３０’を臨ませた継続入賞口３０を形成し、該継続入賞口３０への入賞を条件に変動入賞装置１２が更に第２状態に変換される機会を付与し、変動入賞装置１２の下方には変動入賞装置１２より狭い可変入賞口１３を並設し、
　前記可変入賞口１３について、所定条件が成立したときに遊技者に不利な第１状態と遊技者に有利な第２状態とに変換可能な構成として、落下する打球が特定入賞口１１で第１始動スイッチ１０によって検出されたことに基づいて可変表示する可変表示装置９に賞態様が成立しなかった場合に第２状態となるように構成し、更に、当該小入賞口は所定時間だけ第２状態となった後に第１状態に戻されるパチンコ機」
を構成とする発明が記載されているものと認められる。
（３−６−１−２）対比及び判断
　本件発明（前者）と先願明細書１に記載された発明（後者）とを対比すると、
前者の
「変動入賞装置１２」、「可変入賞口１３」、「継続スイッチ３０’」、「継続入賞口３０」、「特定入賞口１１」、「第１始動スイッチ１０」、「可変表示」、「可変表示装置９」、「賞態様が成立しなかった場合」及び「所定時間」
がそれぞれの機能に照らし、前者の
「大入賞口」、「小入賞口」、「特別スイッチ」、「特別入賞領域」、「所定位置」、「検出器」、「変動表示」、「変動表示手段」、「予め定めた図柄が停止表示された場合」及び「一定時間」
に相当するものと認められるから、
両者は、
「所定条件が成立したときに遊技者に不利な第１状態と遊技者に有利な第２状態とに変換可能な大入賞口と、小入賞口とを備えたパチンコ機において、
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、
　前記小入賞口について、所定条件が成立したときに遊技者に不利な第１状態と遊技者に有利な第２状態とに変換可能な構成として、落下する打球が所定位置で検出器によって検出されたことに基づいて変動表示する変動表示手段に予め定めた図柄が停止表示された場合に第２状態となるように構成し、更に、当該小入賞口は一定時間だけ第２状態となった後に第１状態に戻されるパチンコ機」である、
点において一致し、
前者においては、小入賞口が複数有り、各小入賞口のうち所定の小入賞口については打球が入賞すると大入賞口が第２状態へ２回変換され、その他の小入賞口については打球が入賞すると前記大入賞口が第２状態へ１回変換される始動入賞口として構成されており、所定条件が成立したときに遊技者に不利な第１状態と遊技者に有利な第２状態とに変換可能なのが、各小入賞口のうち前記大入賞口が第２状態へ２回変換される始動入賞口として構成された小入賞口のみである、
のに対し、
後者においては、かかる構成が備わっていない、
点において相違するものと認められる。
　要するに、この相違は、前者がいわゆる第２種遊技機であるのに、後者がそうではないというタイプの相違に基づくものであるから、前者が後者と同一であるなどとは到底いえない。
（３−６−２）上記（３−２）の取消理由について
（３−６−２−１）取消理由において引用された特願平２−２０９１３８号（特開平４−９２６８８号）（以下、先願明細書２という）に記載された発明
　先願明細書２には、
特に、
（ア）特開平４−９２６８８号の公開公報第６頁右上欄第１〜５行の「所定時間内に打球が補助変動入賞装置１２に入賞すると、第２始動スイッチ３０がこの球を検出して特定入賞信号を発生して入賞記憶手段５０に送るので、可変表示装置９の可変表示が開始され、別遊技を行うことができる」の記載、
（イ）同公開公報第７頁右上欄第１８行〜左下欄第９行の「球が始動口に入賞することを条件として変動入賞装置の可動球受け部材が・・・遊技者にとって不利な第１状態から遊技者にとって有利な第２状態に所定回数変換し、この第２状態に変換したときに球が特定の入賞口（Ｖ入賞口）に入賞すると特別遊技の権利が発生し、特別遊技では変動入賞装置が所定回数第１状態と第２状態とに変換し、球が特定の入賞口（Ｖ入賞口）に入賞することによってサイクルの更新が行われて特別遊技を継続できるような遊技内容のパチンコ機（所謂ハネモノタイプ）であってもよい」の記載、
（ウ）同公開公報第７頁左上欄第６〜１１行の「変動入賞装置１３を上に補助変動入賞装置１２を下に配置し・・・てもよい」の記載、
（エ）同公開公報第７頁右下欄第１９行〜第８頁右上欄第２行の「補助変動入賞装置１２の作動開始条件は、遊技盤６に設けた特別な入賞口に入賞することを第１条件とし、この第１条件が成立することを前提として別個な遊技で第２条件が成立した場合に、補助変動入賞装置１２を遊技者にとって有利な第２状態に変換するように構成してもよい。例えば・・・特別入賞口１７に入賞した球を特別入賞検出器１７’により検出し・・・補助可変表示装置７３・・・の変換表示を開始し・・・上記補助可変表示装置７３の変換表示を停止する。そして・・・賞態様が成立していると判別した場合・・・補助変動入賞装置１２をタイマ６２に設定した所定時間・・・だけ第１状態から第２状態に変換して球を入賞し易い状態とする」の記載、
からみて、
「所定条件が成立したときに遊技者に不利な第１状態と遊技者に有利な第２状態とに変換可能な変動入賞装置１３と、補助変動入賞装置１２とを備え、当該補助変動入賞装置１２について打球が入賞すると前記変動入賞装置１３が第２状態へ所定回数変換される始動口として構成したパチンコ機において、
　前記変動入賞装置１３には、Ｖ入賞口を形成し、該Ｖ入賞口への入賞を条件に変動入賞装置１３が更に第２状態に変換される機会を付与し、変動入賞装置１３の下方には変動入賞装置１３より狭い補助変動入賞装置１２を並設し、
　前記補助変動入賞装置１２について、所定条件が成立したときに遊技者に不利な第１状態と遊技者に有利な第２状態とに変換可能な構成として、落下する打球が特別入賞口１７で特別入賞検出器１７’によって検出されたことに基づいて変換表示する補助可変表示装置７３に賞態様が成立していると判別した場合に第２状態となるように構成し、更に、当該補助変動入賞装置１２はタイマ６２によって所定時間だけ第２状態となった後に第１状態に戻されるパチンコ機」
を構成とする発明が記載されているものと認められる。
（３−６−２−２）対比及び判断
　本件発明（前者）と先願明細書２に記載された発明（後者）とを対比すると、
前者の
「変動入賞装置１３」、「補助変動入賞装置１２」、「始動口」、「Ｖ入賞口」、「特別入賞口１７」、「特別入賞検出器１７’」、「変換表示」、「補助可変表示装置７３」、「賞態様が成立していると判別した場合」及び「所定時間」
がそれぞれの機能に照らし、前者の
「大入賞口」、「小入賞口」、「始動入賞口」、「特別スイッチを臨ませた特別入賞領域、特別入賞領域」、「所定位置」、「検出器」、「変動表示」、「変動表示手段」、「予め定めた図柄が停止表示された場合」及び「一定時間」
に相当するものと認められるから、
両者は、
「所定条件が成立したときに遊技者に不利な第１状態と遊技者に有利な第２状態とに変換可能な大入賞口と、小入賞口とを備え、当該小入賞口について打球が入賞すると前記大入賞口が第２状態へある回数変換される始動入賞口として構成したパチンコ機において、
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、
　前記小入賞口について、所定条件が成立したときに遊技者に不利な第１状態と遊技者に有利な第２状態とに変換可能な構成として、落下する打球が所定位置で検出器によって検出されたことに基づいて変動表示する変動表示手段に予め定めた図柄が停止表示された場合に第２状態となるように構成し、更に、当該小入賞口はタイマによって一定時間だけ第２状態となった後に第１状態に戻されるパチンコ機」である、
点において一致し、
ア・前者が、小入賞口を複数備え、当該各小入賞口のうち所定の小入賞口については打球が入賞すると大入賞口が第２状態へ２回変換され、その他の小入賞口については打球が入賞すると前記大入賞口が第２状態へ１回変換される、
のに対し、
後者が、かかる構成を明らかにしていない、
イ・落下する打球が所定位置で検出器によって検出されたことに基づいて変動表示する変動表示手段に予め定めた図柄が停止表示された場合に遊技者に不利な第１状態となり、タイマによって一定時間だけ第２状態となった後に第１状態に戻される小入賞口が、
前者は、各小入賞口のうち大入賞口が第２状態へ２回変換される始動入賞口として構成された小入賞口のみである、
のに対し、
後者は、この点が明らかではない、
点において相違するものと認められる。
　そこで検討するに、小入賞口を複数有し、各小入賞口のうち所定の小入賞口については打球が入賞すると大入賞口が第２状態へ２回変換され、その他の小入賞口については打球が入賞すると前記大入賞口が第２状態へ１回変換される、いわゆるハネモノと呼ばれるパチンコ機は、従来周知であるから、やはりハネモノといえる後者において、上記相違点ア・の前者の構成を備えるように工夫することは、単なる設計事項にすぎないものと認められるものの、複数有る小入賞口の何れを、所定条件が成立したときに遊技者に不利な第１状態と遊技者に有利な第２状態とに変換可能な構成とするかという上記相違点イ・に関する構成は、例えば、複数の全てをその構成とする、１回変換されるものだけをその構成とする、２回変換されるものだけをその構成とする、というように、種々の選択の余地が残るから、上記相違点イ・の前者の構成が単なる設計事項にすぎないということはできず、したがって、両者が同一であるとはいえない。
（３−６−３）したがって、特許法第２９条の２の規定により特許を受けることができないという上記（３−１−２−２）の主張及び（３−２）の取消理由は採用しない。
（３−７）まとめ
　以上のとおりであるから、特許異議申立ての理由及び証拠並びに取消理由及び証拠によっては、本件発明についての特許を取り消すことはできない。
　また、他に本件発明の特許を取り消すべき理由を発見しない。
　したがって、本件発明についての特許は拒絶の査定をしなければならない特許出願に対してされたものと認めない。
　なお、申立人・河井清悦が提出した平成１６年３月１６日及び平成１６年６月７日付けの各上申書をみたが、上記結論に影響を与えない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年７月１３日（２００４．７．１３）
【訂正の要旨】
審決（決定）の【理由】欄参照。
（５４）【発明の名称】
パチンコ機
（５７）【特許請求の範囲】
　【請求項１】所定条件が成立したときに遊技者に不利な第１状態と遊技者に有利な第２状態とに変換可能な大入賞口と
、複数の小入賞口とを備え、当該各小入賞口のうち所定の小入賞口については打球が入賞すると前記大入賞口が第２状態へ２回変換され、その他の小入賞口については打球が入賞すると前記大入賞口が第２状態へ１回変換される始動入賞口として構成した
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、当該小入賞口には前記特別スイッチを
臨ませた
　
前記各小入賞口のうち前記大入賞口が第２状態へ２回変換される始動入賞口として構成された小入賞口についてのみ、所定条件が成立したときに遊技者に不利な第１状態と遊技者に有利な第２状態とに変換可能な構成として、
【発明の詳細な説明】
　【０００１】
　【産業上の利用分野】
　本発明は、所定条件が成立したときに遊技者に不利な第１状態と遊技者に有利な第２状態とに変換可能な大入賞口と小入賞口とを備えるパチンコ機に関するものである。
　【０００２】
　【従来の技術】
　従来、始動入賞口と、該始動入賞口への打球の入賞に基づいて開閉部材を所定回数開閉する可変入賞装置と、その所定回数の開閉中に受け入れられた打球が可変入賞装置内に設けられる特定入賞口に入賞したときに大当り状態を発生させる大当り発生手段と、を備えたパチンコ機が多数市場に提供されていた。このようなパチンコ機にあっては、その大きさが変化しない入賞口として形成されていた。また、可変入賞装置の入賞態様の変化が乏しいものであった。
　【０００３】
　【発明が解決しようとする課題】
　このため、始動入賞口の上方に植立される障害釘の調整によって始動入賞口に打球が入り易いか否かが決定され、障害釘の調整の辛いものは、遊技者が遊技しないと言う問題があった。本発明は上記した問題点に鑑みなされたもので、その目的とするところは、障害釘の調整に関係なく打球が始動入賞口に入賞する可能性があるパチンコ機を提供し、また、入賞態様に変化を与えるパチンコ機を提供することにある。
　【０００４】
　【課題を解決するための手段】
　上記した目的を達成するために、本発明においては、
　所定条件が成立したときに遊技者に不利な第１状態と遊技者に有利な第２状態とに変換可能な大入賞口と
、複数の小入賞口とを備え、当該各小入賞口のうち所定の小入賞口については打球が入賞すると前記大入賞口が第２状態へ２回変換され、その他の小入賞口については打球が入賞すると前記大入賞口が第２状態へ１回変換される始動入賞口として構成した
　前記大入賞口には、特別スイッチを臨ませた特別入賞領域を形成し、該特別入賞領域への入賞を条件に大入賞口が更に第２状態に変換される機会を付与し、大入賞口の下方には大入賞口より狭い小入賞口を並設し、当該小入賞口には前記特別スイッチを
臨ませた
　
前記各小入賞口のうち前記大入賞口が第２状態へ２回変換される始動入賞口として構成された小入賞口についてのみ、所定条件が成立したときに遊技者に不利な第１状態と遊技者に有利な第２状態とに変換可能な構成として、
変動表示器
　【０００５】
　可変入賞装置において大入賞口と小入賞口とを上下に並設することによって入賞態様に変化を与えることができる。また、小入賞口は一定時間を越えて第２状態を維持することがないので、出玉が多くなり過ぎたり、小入賞口が第２状態を維持し続けることによる遊技の中断・中止が円滑に行われない等の不都合も回避し得る。
　【０００６】
　【実施例】
　以下、図面を参照して、本発明の実施例を説明する。図１は、この発明の実施例が適用されるパチンコ機を示し、図１はパチンコ機の正面図である。図１において、パチンコ機１の前面枠２には、金枠３、ガラス扉枠４、前面板５等が取り付けられ、また前面枠２の裏面には遊技盤６が着脱自在に取り付けられている。
　【０００７】
　遊技盤６には、打球を誘導するとともに遊技領域７を区画形成する誘導レール８がほぼ円状に植立されている。遊技領域７のほぼ中央には、この実施例の特徴である大入賞口たる可変入賞装置２０が取着されている。なお、可変入賞装置２０ついては後に詳述する。更に、遊技領域７には、その下方に始動入賞口９ａ〜９ｃが設けられている。この始動入賞口９ａ〜９ｃのうち中央の始動入賞口９ａは、電気的駆動源であるチューリップソレノイド１６によって開閉制御される小入賞口たる電動始動入賞口となっており、その翼片部分に動作ランプが内蔵されている。
　【０００８】
　また、他の始動入賞口９ｂ，９ｃの下方部分にも動作ランプが内蔵されている。そして、この動作ランプは、打球が当該始動入賞口に入賞したことを遊技客に知らせている。なお、中央の始動入賞口９ａに打球が入賞すると後述する可変入賞装置２０の開閉翼片２３ａ，２３ｂが短い時間間隔で２回開閉動作をし、左右の始動入賞口９ｂ，９ｃに打球が入賞すると開閉翼片２３ａ，２３ｂが１回開閉動作するようになっている。そして、この打球の入賞を検出するために始動入賞検出スイッチ３１ａ〜３１ｃ（図３参照）が内蔵されている。
　【０００９】
　更に、遊技領域７には、打球の入賞を通常の入賞とする入賞口１０ａ，１０ｂ，１１ａ，１１ｂや、遊技後述する特別遊技状態となったときに点灯、あるいは点滅してその旨を報知する大当りランプ１２ａ，１２ｂ等がそれぞれ設けられ、遊技領域７の下方には各種入賞口に入賞しなかった打球を回収するアウト口１８が設けられている。前記入賞口のうち可変入賞装置２０の左右に設けられる入賞口１０ａ，１０ｂには、入賞した打球を検出する玉検出器１７ａ，１７ｂが内蔵されている。この玉検出器１７ａ，１７ｂがＯＮすると後述する回数表示器を兼用する変動表示器２６が変動開始する。
　【００１０】
　そして、その変動表示器２６の停止時の図柄が予め定めた図柄（例えば、数字の「７」）と一致した場合には、後に詳述するように前記チューリップソレノイド１６を所定の態様で駆動する。また、遊技領域７の下部左右に設けられる入賞口１１ａ，１１ｂには、その内部に動作ランプを内蔵しており、特別遊技状態となったときや、通常遊技状態において点滅駆動されている。もちろん、この場合、特別遊技状態と通常遊技状態とでは、その点滅態様が異なるように設定されている。
　【００１１】
　前記前面板５の表面には、払出された景品玉を貯留し、かつ発射位置に打球を供給する上皿１３が固着され、該上皿１３の下方の前面枠２の前面には、打球の弾発力を調節する操作ハンドル１４や上皿１３に貯留しきれなかった景品玉を貯留する下皿１５が取り付けられている。
　【００１２】
　次に、図２に基づいて、可変入賞装置２０の構造について説明する。図２は可変入賞装置２０の正面図である。図２において、可変入賞装置２０は、前記遊技盤６に取り付けられる取付板２１を有し、該取付板２１には、縦長の窓開口２２が形成されている。この窓開口２２の中央左右には、一対の開閉部材２３ａ，２３ｂが開閉自在に取り付けられている。この開閉部材２３ａ，２３ｂは、ソレノイド３４（図３参照）によって開閉駆動されるようになっており、ソレノイド３４が励磁されると、開閉部材２３ａ，２３ｂは開状態となり、消磁されると閉状態となる。
　【００１３】
　なお、この実施例の場合、開閉部材２３ａ，２３ｂは短い時間間隔、例えば、始動入賞口９ａ〜９ｃへ打球が入賞した場合には約０．５秒間隔で開閉制御され、後述するＶ入賞口２４へ入賞した場合には約０．７５秒間隔で開閉制御される。前記窓開口２２の下方部分には、複数の入賞口が形成され、中央が特定入賞口としてのＶ入賞口２４とされ、両側が通常入賞口２５ａ，２５ｂとされる。そして、前記Ｖ入賞口２４によって本発明の特別入賞領域が構成されている。
　【００１４】
　そして、前記始動入賞口９ａ〜９ｃへの入賞による開閉部材２３ａ，２３ｂの開閉動作によって誘導された入賞玉がＶ入賞口２４へ入賞することにより大当り状態となり、前記開閉部材２３ａ，２３ｂが１８回の開閉動作を行うか、又は１０個の入賞玉が入賞するまで開閉動作を連続する。また、この開閉動作の途中で再度Ｖ入賞口２４に入賞があると、その開閉動作を直ちに停止して、最初から上記した１８回又は１０個の開閉動作を繰り返す。
　【００１５】
　このような、繰り返し回数は、最高１６回に設定されている。また、前記Ｖ入賞口２４には、入賞を検出するためのＶ入賞検出スイッチ３３（図３参照）が設けられ、更に、Ｖ入賞口２４及び通常入賞口２５ａ，２５ｂに入賞したすべての入賞玉を検出する１０カウント検出スイッチ３２（図３参照）が変動入賞装置２０の裏面に設けられている。そして、前記Ｖ入賞検出スイッチ３３によって本発明の特別スイッチが構成されている。
　【００１６】
　また、前記窓開口２２の上部左右に、回数表示器２６及びカウント表示器２７が配置されている。このうち、回数表示器２６は、大当り状態中において前記開閉動作の繰り返し回数を表示するものであると共に、前記玉検出器１７ａ，１７ｂのＯＮ信号に基づいて変動表示する変動表示器としての機能を有している。しかして、変動開始後一定時間経過したときには、その変動表示を停止する。そして、変動停止時に表示される図柄が予め定めた図柄と一致した場合には、前記チューリップソレノイドを所定の態様で駆動する。
　【００１７】
　カウント表示器２７は、大当り状態中において１回の開閉動作中に入賞した入賞玉数を表示するものである。そして、通常遊技状態中においても、デモンストレーション用に表示駆動されるものである。なお、図示の実施例においては、回数表示器２６及びカウント表示器２７は、７セグメントＬＥＤで構成されている。このため、本実施例においては、回数表示器２６が変動表示器として使用されたときに、「０」〜「９」までの図柄を変動し、そのうちの「７」が当り図柄と設定されている。
　【００１８】
　更に、可変入賞装置２０の取付基板２１の左右両側には、大当り状態となったときや、通常遊技状態において点滅駆動されるＬＥＤランプ（発光ダイオード）２８，２９が設けられている。もちろん、この場合、大当り状態と通常遊技状態とでは、その点滅態様が異なるように設定されている。同様に、前記窓開口２２の内部には、動作ランプ３０が設けられており、これも大当り状態や通常遊技状態で点滅駆動されるようになっている。
　【００１９】
　上記した可変入賞装置２０を駆動する制御回路は、図３に示すように構成される。すなわち、制御中枢としてのマイクロコンピュータ４０には、外部ＲＯＭ４１、外部ＲＡＭ４２が接続されている。外部ＲＯＭ４１には、処理手順を示したプログラムデータが格納され、外部ＲＡＭ４２には、必要なデータの書き込み、呼出しが行われるようになっている。
　【００２０】
　前記始動入賞検出スイッチ３１ａ〜３１ｃ、１０カウント検出スイッチ３２、Ｖ入賞検出スイッチ３３、及び玉検出器１７ａ，１７ｂは、チャタリングを防止するためのフリップフロップからなる波形整形回路４３を介してマイクロコンピュータ４０に接続されている。
　【００２１】
　クロック発生回路４５は、分周回路４４を介して外部割込み信号をマイクロコンピュータ４０のＩＮＴ端子に出力している。そして、その外部割込み信号に同期してマイクロコンピュータ４０は、外部ＲＯＭ４１に格納されているメインプログラムを実行する。
　【００２２】
　また、電源回路４７に電源が給電されるとリセット信号発生回路４６からリセット信号がマイクロコンピュータ４０に出力され、そのリセット信号により初期プログラムが起動される。また、必要に応じて起動スイッチ５１をＯＮすると、リセット信号発生回路４６からリセット信号が出力され、同様にそのリセット信号により初期プログラムが起動される。
　【００２３】
　マイクロコンピュータ４０の各出力ポートには、表示器駆動回路４８、表示器選択回路４９、ドライバ５０が接続されている。表示器駆動回路４８、表示器選択回路４９には、前記した回数表示器２６、ＬＥＤランプ２８，２９、カウント表示器２７が接続されている。それらの表示器は、マイクロコンピュータ４０からの選択データと、表示データとを定周期で出力することにより、ダイナミック駆動される。ドライバ５０は、マイクロコンピュータ４０からの信号に応じて、チューリップソレノイド１６、ソレノイド３４を駆動し、大当りランプ１２ａ，１２ｂ、動作ランプ３０の点灯、あるいは点滅動作を制御する。
　【００２４】
　上記した制御回路によって制御される動作のうち、変動表示器２６の変動表示の処理手順を示した変動表示サブルーチンと、該変動表示サブルーチンによって当りと判断されたときに駆動されるチューリップソレノイド１６の駆動の処理手順を示したチューリップソレノイド駆動サブルーチンとを図４及び図５を参照して説明する。
　【００２５】
　まず、図４によって変動表示サブルーチンを説明する。入賞口１０ａ，１０ｂのいずれかに打球が入賞した場合の動作において、変動表示器２６や電動始動入賞口９ａが作動中でないときには、ステップＳ１０において玉検出器１７ａ，１７ｂいずれかがＯＮしたと判断され、ステップＳ３０で玉検出カウンタの値にＣ＝１が設定される。そして、ステップＳ７０で変動時間であるタイマＴがセットされると共に変動が開始される。
　【００２６】
　タイマＴがタイムアップするまでは、ステップＳ８０−ステップＳ１０−ステップＳ４０−ステップＳ８０を繰り返す。しかして、タイマＴがタイムアップしたときには、ステップＳ９０において変動が停止されると共に玉検出カウンタの値から「１」が減算される（玉検出カウンタのクリアと同じ）。そして、ステップＳ１００で停止時の図柄が予め定めた図柄と一致しているか否か判断される。一致している場合には、当りフラグがセットされてサブルーチンを終了する。
　【００２７】
　変動表示器２６が変動中であるときには、ステップＳ９０で変動停止後でないと玉検出カウンタの値がクリアされないので、ステップＳ２０において常に玉検出カウンタの値がＣ＝１と判断されて玉検出器１７ａ，１７ｂのＯＮは、無効とされる。
　【００２８】
　また、チューリップソレノイド１６が作動中であるときには、ステップＳ３０の処理が実行されるがステップＳ５０の判断によって変動表示が行われない。しかし、チューリップソレノイド１６の作動が終了した場合には、ステップＳ６０によってＣ＝１と判断されて変動表示が行われることになる。なお、チューリップソレノイド１６が作動中に玉検出器１７ａ，１７ｂがＯＮしても、そのＯＮを無効とするようにしてもよい。
　【００２９】
　次に、上記したサブルーチンで当りフラグがセットされた場合に駆動されるチューリップソレノイドの駆動サブルーチンについて図５を参照して説明する。チューリップソレノイド１６の励磁時間を設定するタイマｔ１（例えば、１秒）がステップＳ１５０においてセットされる。そして、そのタイマｔ１がタイムアップするまでステップＳ２００においてチューリップソレノイド１６がＯＮされる。
　【００３０】
　しかして、タイマｔ１がタイムアップすると、図示しないが電動始動入賞口９ａの開閉回数を計数する開閉回数カウンタが更新（Ｄ＝Ｄ＋１）され、その後、ステップＳ１８０においてチューリップソレノイド１６の非励磁時間を設定するタイマｔ２（例えば、４秒）がセットされる。タイマｔ２がセットされると、ステップＳ１２０でタイマｔ２がタイムアップしたと判断されるまでステップＳ１９０でチューリップソレノイド１６がＯＦＦとされる。
　【００３１】
　タイマｔ２がタイムアップしたときには、ステップＳ１３０で電動始動入賞口９ａの開閉回数カウンタの値が「６」以下であるか否かが判断され、「６」以下であれば、再度上記したタイマｔ１の励磁とタイマｔ２の非励磁とを繰り返す。また、電動始動入賞口９ａの開閉回数カウンタの値が「６」になった場合は、図示省略するが、当りフラグをクリアしてチューリップソレノイドの駆動処理を終了する。
　【００３２】
　つまり、本実施例においては、電動始動入賞口９ａを間欠的に開閉する。これは、電動始動入賞口９ａが開放したときに入賞した打球によって可変入賞装置２０の開閉部材２３ａ，２３ｂが開閉し、その開閉中に受け入れられた打球がＶ入賞口２４に到達するまでのある程度時間がかかるため、その時間の間は、電動始動入賞口９ａを開放しなくてもよいからである。
　【００３３】
　また、１回しか電動始動入賞口９ａを開放しない場合には、その１回の開放で打球が電動始動入賞口９ａに入賞しないおそれもあるため、所定回数開放するようにしたものである。もちろん、この場合、電動始動入賞口９ａを連続して一定時間だけ開放するようにしてもよい。
　【００３４】
　以上、実施例について説明してきたが、上記実施例では、変動表示器として回数表示器２６を兼用して使用したため、余分に変動表示器を設ける必要がなく、経済的であるという利点がある。また、変動表示器としてカウント表示器２７も使用し、２つの表示器２６、２７で変動表示器を構成しても良い。また、変動表示器として可変入賞装置２０に設けられる表示器を兼用することなく、専用の表示器を設けてもよい。この場合においても、その専用の変動表示器の数は、１つでも、複数でもよい。
　【００３５】
　また、上記した動作説明では、変動表示中等に玉検出器１７ａ，１７ｂの検出信号が記憶されないものを示したが、所定個数（例えば、４個）まで記憶できるようにしてもよい。また、玉検出器１７ａ，１７ｂを内蔵する入賞口１０ａ，１０ｂの数も取付位置も任意に設定すればよい。
　【００３６】
　なお、本発明においては、可変入賞装置２０に設けられるＶ入賞口２４に打球が入賞したときに大当りとなる形式のパチンコ機（いわゆるヒコーキタイプ）について説明しているが、同様な技術的思想を図柄表示装置に表示される図柄の組合せによって大当り状態となる形式のパチンコ機（いわゆるデジタルタイプ）に応用しても良い。この場合には、図柄表示装置を変動開始するための始動入賞口のうち少なくとも１つを電動始動入賞口とすればよい。
　【００３７】
　【発明の効果】
　以上、説明したところから明らかなように、本発明においては、可変入賞装置として大入賞口と小入賞口とを上下に並設することによって、入賞態様に変化を与えることができる。また、小入賞口といえども、
大入賞口を第２状態に２回変換させる小入賞口については、
大入賞口への入賞機会の多い
　【００３８】
【図面の簡単な説明】
　【図１】実施例に係るパチンコ機の正面図である。
　【図２】パチンコ機に設けられる可変入賞装置の正面図である。
　【図３】パチンコ機の遊技動作を制御する制御回路のブロック図である。
　【図４】図３に示す制御回路によって制御される動作のうち変動表示器の動作と電動始動入賞口の動作を示すフローチャートである。
　【図５】図３に示す制御回路によって制御される動作のうち変動表示器の動作と電動始動入賞口の動作を示すフローチャートである。
　【符号の説明】
　１・・パチンコ機
　９ａ・・電動始動入賞口（小入賞口）
　９ｂ，９ｃ・・始動入賞口
　１６・・チューリップソレノイド
　１７ａ，１７ｂ・・玉検出器
　２０・・変動入賞装置（大入賞口）
　２３ａ，２３ｂ・・開閉部材
　２４・・Ｖ入賞口（特別入賞領域）
　２６・・回数表示器（変動表示器）
　３３・・Ｖ入賞検出スイッチ３３（特別スイッチ）